(57)【要約】      （修正有）【課題】使用者が施力して運用する時、定点、往復回転の手押し操作を確実に達成することができる螺旋式マッサージ装置を提供する。【解決手段】中央には内管２３一端と嵌めるスリーブ２２を設置し、スリーブ２２頂点端には２組の跨ぎ槽を横方向に陥没状に設置し、弓形フレーム３両端に架設する２個の弾性棒を跨がせて設置し、内管２３反対端は弓形フレーム３中央に開設する固定された嵌口３１中に設置し、マッサージ装置４のスクリューロッド４３を回転させ、前端に、前縁に偏心軸４１１を突出状に設置する偏心軸ブロック４１を結合して連動し、偏心軸４１１とマッサージブロック４２中央に設置する第二ベアリング４２１とは可動状態で接続し、伸縮プル棒２の内側へ及び外側への移動時、弾性棒の弾性圧力及び復位力を受け、しかもスクリューロッド４３を正逆方向に回し偏心軸ブロック４１を回転させ、偏心軸４１１を転動させ、第二ベアリング４２１を連動し、マッサージブロック４２に対して偏心レール転動を行わせる。【選択図】図５
0003164910.tif 000002
【実用新案登録請求の範囲】
【請求項１】
手押し操作の螺旋式マッサージ装置は、伸縮プル棒を弓形フレーム中央とマッサージ装置に組み立てて組成し、
前記伸縮プル棒は、Ｔ型を呈する棒の両端にハンドルを延伸して設置し、中央には内管一端と嵌めて接続するスリーブを設置し、
前記スリーブは、頂点端に２組の跨ぎ槽を陥没状に設置し、前記弓形フレーム両端に架設する２個の弾性棒を跨がせて設置し、しかも内部には一端にガイドスクリューブロックを設置するガイドスクリュー管を設置し、内管中に嵌め、前記内管反対端は前記弓形フレーム中央に開設する固定された嵌口上に設置し、
前記ガイドスクリューブロックと前記マッサージ装置のスクリューロッド一端は螺合して接続し、前記スクリューロッドを回転動させ、反対端と前縁に偏心軸を突出状に設置する偏心軸ブロックとを結合し、
前記偏心軸ブロック外周には、第一ベアリングを設置し、嵌口と設置し、前記偏心軸と前記マッサージブロック中央に設置する第二ベアリングとは可動状態で接続し、
前記伸縮プル棒の内側へ及び外側への移動時、前記弾性棒の弾性圧力及び復位力を受け、前記ガイドスクリューブロックは前記スクリューロッドに正逆旋回動を行わせ、前記偏心軸ブロックは偏心軸を回転させ、前記第二ベアリングを連動し、前記マッサージブロックに対して、正逆方向の偏心レール転動を行わせ、
無抵抗伝送を提供し、倍力偏心転動を行い、腕の伸展、及び運動部位を正逆方向に回転マッサージする効果を提供することを特徴とする手押し操作の螺旋式マッサージ装置。
【請求項２】
前記手押し操作の螺旋式マッサージ装置は、伸縮プル棒とマッサージ装置を備え、
前記伸縮プル棒はスリーブ一端にハンドルを設置し、反対端と内管一端とは接続し、しかもその内部には一端にガイドスクリューブロックを設置するガイドスクリュー管を設置し、前記内管中に嵌め、
前記内管の反対端は嵌口上に設置し、外周には上下両端がそれぞれスリーブ頂点端及び嵌口周縁を押さえるバネを嵌めて設置し、
前記嵌口外周には前記スリーブ頂点端まで保護筒を嵌めて設置し、
前記ガイドスクリューブロックと前記マッサージ装置のスクリューロッド一端は螺合して接続し、前記スクリューロッドを回転動させ、反対端と前縁に偏心軸を突出状に設置する偏心軸ブロックとを結合し、
前記偏心軸ブロック外周には第一ベアリングを設置し、嵌口と設置し、前記偏心軸とマッサージブロック中央に設置する第二ベアリングとは可動状態で接続し、
前記伸縮プル棒の内側へ及び外側への移動時、前記弾性棒の弾性圧力及び復位力を受け、前記ガイドスクリューブロックは、前記スクリューロッドに正逆旋回動を行わせ、前記偏心軸ブロックは偏心軸を回転させ、前記第二ベアリングを連動し、前記マッサージブロックに対して、正逆方向の偏心レール転動を行わせ、
無抵抗伝送を提供し、倍力偏心転動を行い、腕の伸展、及び運動部位を正逆方向に回転マッサージする効果を提供することを特徴とする請求項１に記載の手押し操作の螺旋式マッサージ装置。
【請求項３】
前記手押し操作の螺旋式マッサージ装置は、伸縮プル棒とマッサージ装置を備え、
前記伸縮プル棒は中空スリーブ一端をＴ型棒に形成し、しかも両端にはハンドルを延伸して設置し、伸縮筒外周を覆い、
前記伸縮筒は、内管外周に嵌めて設置し、両側には、内向きに槽溝をそれぞれ陥没状に設置し、底部には保護筒底縁を押さえるロックブロックを外へと突出状に設置し、しかもその内部の頂点部には、一端にガイドスクリューブロックを設置するガイドスクリュー管を設置し、前記内管中に嵌め、前記内管反対端の底段の適当な位置には固定結合板を設置し、頂点端の相対する両側には定滑車ユニットを可動状態で設置し、両端により固定結合板上にそれぞれ固定して設置し、前記伸縮筒底部の対応する内側の弾性棒状レールを、槽溝内に跨がせ往復移動を行い、
前記ガイドスクリューブロックと前記マッサージ装置のスクリューロッド一端は螺合して接続し、前記スクリューロッドを回転動させ、反対端と前縁に偏心軸を突出状に設置する偏心軸ブロックとを結合し、前記偏心軸ブロック外周には、第一ベアリングを設置し、嵌口と設置し、
前記偏心軸と前記マッサージブロック中央に設置する第二ベアリングとは可動状態で接続し、前記伸縮プル棒の内側へ及び外側への移動時、前記弾性棒の弾性圧力及び復位力を受け、ガイドスクリューブロックは、前記スクリューロッドに正逆旋回動を行わせ、前記偏心軸ブロックは偏心軸を回転させ、前記第二ベアリングを連動し、前記マッサージブロックに対して、正逆方向の偏心レール転動を行わせ、
無抵抗伝送を提供し、倍力偏心転動を行い、腕の伸展、及び運動部位を正逆方向に回転マッサージする効果を提供することを特徴とする請求項１に記載の手押し操作の螺旋式マッサージ装置。
【請求項４】
前記手押し操作の螺旋式マッサージ装置は、前記中空スリーブに設置するＴ型棒は、前記伸縮筒外周に反対方向にかぶせることができ、頂点縁により押さえ、伸縮を連動し、こうして手持ち距離を短縮することを特徴とする請求項３に記載の手押し操作の螺旋式マッサージ装置。
【考案の詳細な説明】
【技術分野】
【０００１】
本考案は手押し操作の螺旋式マッサージ装置に関し、特に手で伸縮プル棒と弓形フレームを内側へと押して相対させて内部へと入れ、また緩めて外側へと伸ばし、続いてスクリューロッドを回転させ、こうして偏心軸ブロックは回転動し偏心軸は第二ベアリングを連動し、マッサージブロックに対して偏心レール転動を行わせ、マッサージブロックは運動部位に対して回転圧迫マッサージを提供する手押し操作の螺旋式マッサージ装置に関する。
【背景技術】
【０００２】
腹筋トレーニングマシーンは、腹部マッサージ、震動に用いる一般の電動装置或いはプッシュホイール式等手動マッサージ器等とは異なり、使用者は腹筋トレーニングマシーンを、腹部前方に横方向に置き、手で内向きに往復させ押す運動を組合せ、この時、腹部が圧力を受け押されると、これに対応して力を入れる上半身の運動効果を達成する。
【０００３】
しかし、従来の腹筋トレーニングマシーンでは、身体、腹部と接触する腹部クッション部位が定点式であるため、使用時に、腹部筋肉の表面に、水平方向に出たり入ったりの押し圧力を加えることができるだけである。このような操作は、確かに上半身の運動にはなるが、使用者の腹部の余分な脂肪に対しては、マッサージ或いは揉み出しの消去効果を提供することはできない。
【０００４】
このため、腹筋トレーニングマシーンの設計において、腹部クッションがマッサージ或いは震動の設計を兼ね備えたものが開発された。
その代表的な構造を、図１、２に示す。
同構造では、腹筋トレーニングマシーンの中段伸縮部5の伸縮棒51棒体上に、適当な螺旋槽511を設置する。
また、伸縮部5のスリーブ52底端には、螺旋槽511に対応して、これと噛み合うキーブロック521を設置する。
これにより、螺旋槽511は、キーブロック521に従い転動、移動することができる。
しかも、腹部クッション6は、外クッション61、及び外クッション61中に包まれる内クッション62を備える。
内クッション62頂点部は、伸縮棒51の底端に結合し、伸縮棒51に連動される。
また、内クッション62の底面には、多数の凸粒621を設置し、外クッション61は、軟質のカバークッション面611上に、クッションブロック612を設置する。
クッションブロック612上には、数個の凸棒613を設置する。
また、外クッション61は、カバークッション面611により、内クッション62を覆った後、クッションブロック612は、内クッション62の底面に接触し、伸縮棒51が転動し伸縮移動すると、上、下にぶつかり、腹部クッション6はそれに対応して軽くたたく震動を形成し、使用者腹部に対して押圧を加える。
【０００５】
上記とは別の手で持つタイプの電動構造は、図３、４に示すように、カバー殼体7内部に、駆動モーター72を組み合わせて設置する。
さらに、蓋板71により、カバー殼体7に対応して、駆動モーター72上に蓋をする。
また、駆動モーター72は、蓋板71を貫通する心軸721を延伸し、駆動モーター72の心軸721とマッサージ作動部8とは相互に組み合わさる。
マッサージ作動部8は、回転動パーツ81及びマッサージパーツ82により組成し、しかも回転動パーツ81は、固定設置部811を旋回の中心として、外へと不対称距離を延伸する。
しかも、凸軸812及びウェイト部813をそれぞれ設置し、マッサージパーツ82は、一面にマッサージ面を形成する。
マッサージ面内は延伸して、可動接続部822を形成する。
凸軸812と可動接続部822は、ピボット方式により相互に位置を限定し、また凸軸812と可動接続部822は、相対して回転することができる。
これにより、マッサージパーツ82は、マッサージ面821が偏心回転動して人体に接触する時、発生する反作用力は、凸軸812及び可動接続部822を通して、相対的に回転動して打ち消される。
この時、マッサージパーツ82は、緩衝動状態を呈し、駆動モーター72は、心軸721が出力するトルク力により、回転動パーツ81のウェイト部813に対応して圧迫マッサージ作用を生じる。
さらに、可動接続部822と凸軸812を旋回の中心として、マッサージ面821を通して、接触部位に対して圧迫マッサージを生じる。
【０００６】
しかし、図１、２に示す従来の構造は、水平方向で、振り幅が小さい振動式マッサージ操作を提供できるだけであるため、その腹部脂肪へのマッサージ効果には限界がある。
しかも、腹部クッション6の震動は、使用者の手が施力する方向と相同であるため、使用者の施力時に、伸縮棒51前端腹部クッション6の転動抵抗力を形成し、腹部クッション6は転動し難くなってしまい、こうして予期の腹部マッサージ効果を達成することができない。
また、図３、４に示す手で持つ電動の方式により、マッサージ接触部位を移動させる構造は、接触部位に対してしか圧迫マッサージ動作を行うことができない。
【０００７】
よって本考案は、従来の腹筋トレーニングマシーンの上記した欠点に鑑み、使用者が施力して運用する時、前端と腹部が接触する腹部クッションは、定点、往復回転の手押し操作を確実に達成することができる螺旋式マッサージ装置構造を提供するためになされたものである。
【考案の概要】
【考案が解決しようとする課題】
【０００８】
本考案が解決しようとする第一の課題は、Ｔ型を呈する棒の両端にハンドルをそれぞれ延伸する伸縮プル棒、弓形フレームを備え、中央に内管一端と嵌めるスリーブを設置し、スリーブ頂点端には２組の跨ぎ槽を横方向に陥没状に設置し、弓形フレーム両端に架設する２個の弾性棒を跨がせて設置し、内管反対端は弓形フレーム中央に開設する固定された嵌口中に設置し、しかもスリーブ内には一端にガイドスクリューブロックを設置するガイドスクリュー管を設置し、内管中に嵌め、ガイドスクリューブロックとマッサージ装置のスクリューロッド一端は螺合して接続し、スクリューロッドを回転動させ、反対端と前縁に偏心軸を突出状に設置する偏心軸ブロックを設置し、外周に第一ベアリングを設置し、嵌口と設置し、偏心軸とマッサージブロック中央に設置する第二ベアリングとは、可動状態で接続し、内向きに押すと、伸縮プル棒は内側へと縮み、弾性棒の弾力を受けて押し戻され、ガイドスクリューブロックはスクリューロッドを正回転させ、さらにこれにより前端の偏心軸ブロックは転動し、回転動する偏心軸は第二ベアリングを連動し、マッサージブロックに対して偏心レール転動を行わせ、マッサージブロックは所定部位に対して回転圧迫マッサージを行い、緩めると、伸縮プル棒は弾性棒の復位作用を受け伸展し、ガイドスクリューブロックはガイドスクリュー管を逆回転させ、さらに前端の偏心軸ブロックを逆に回転させ、逆回転動する偏心軸は、第二ベアリングを連動して、マッサージブロックに対して逆偏心レール転動を行わせ、マッサージブロックは所定部位に対して逆方向の回転圧迫マッサージを行い、正逆方向回転マッサージの効果を提供する手押し操作の螺旋式マッサージ装置を提供することである。
本考案が解決しようとする第二の課題は、伸縮プル棒の内管外周にバネを嵌めて設置し、しかも上端と下端とは、スリーブ頂点端と嵌口周縁をそれぞれ押さえ、その外周には保護筒をスリーブ頂点端まで嵌めて設置し、２個の弾性棒をスリーブ頂点端の２組の跨ぎ槽上に設置する状態に相当し、伸縮プル棒に対して内向きに押す弾性圧力及び緩めた際の復位力を備え、前記と相同の効果を備える手押し操作の螺旋式マッサージ装置を提供することである。
本考案が解決しようとする第三の課題は、中空スリーブ一端はＴ型棒に形成し、両端にはそれぞれハンドルを延伸して設置し、伸縮筒は内管外周に嵌めて設置し、両側には内向きに槽溝をそれぞれ陥没状に設置し、底部にはロックブロックを外向きに突出状に設置し、ガイドスクリュー管一端は、筒内頂点部に設置し、内管底段の適当な位置には、固定結合板を設置し、頂点端の相対する両側に、定滑車ユニットを可動状態で設置し、両端により、固定結合板上にそれぞれ固定して設置し、伸縮筒底部と対応する内側の弾性棒状レールは槽溝262を跨ぎ、内部において往復移動を行い、２個の弾性棒をスリーブ頂点端の２組の跨ぎ槽上に設置する状態に相当し、伸縮プル棒に対して内向きに押す弾性圧力及び緩めた際の復位力を備え、前記と相同の効果を備える手押し操作の螺旋式マッサージ装置を提供することである。
【課題を解決するための手段】
【０００９】
上記課題を解決するため、本考案は下記の手押し操作の螺旋式マッサージ装置を提供する。
【考案の効果】
【００１０】
本考案の手押し操作の螺旋式マッサージ装置は、手で伸縮プル棒と弓形フレームを内側へと押して相対させて内部へと入れ、また緩めて外側へと伸ばし、続いてスクリューロッドを回転させ、こうして偏心軸ブロックは回転動し偏心軸は第二ベアリングを連動し、マッサージブロックに対して偏心レール転動を行わせ、マッサージブロックは運動部位に対して回転圧迫マッサージを提供する。
【図面の簡単な説明】
【００１１】
【図１】従来の腹筋トレーニングマシーンの立体組合せ図である。
【図２】従来の腹筋トレーニングマシーンの腹部クッションの模式図である。
【図３】従来の電動圧迫マッサージ機の立体分解図である。
【図４】従来の電動圧迫マッサージ機の断面組合せ図である。
【図５】本考案第一実施例の断面組合せ図である。
【図６】本考案マッサージ装置の拡大模式図である。
【図７】本考案伸縮プル棒の作動模式図である。
【図８】本考案伸縮プル棒の作動模式図である。
【図９】本考案マッサージブロックの作動模式図である。
【図１０】本考案マッサージブロックの正視作動模式図である。
【図１１】本考案第二実施例の立体組合せ図である。
【図１２】本考案第二実施例の断面組合せ図である。
【図１３】本考案第三実施例の立体分解図である。
【図１４】本考案の弾性棒状レールが滑車ユニットを跨いで固定する様子を示す立体図である。
【図１５】本考案の弾性棒状レールが滑車ユニットを跨いで固定する様子を示す俯瞰図である。
【図１６】第三実施例の操作立体図である。
【図１７】第三実施例の操作立体図である。
【図１８】第三実施例の操作断面図である。
【図１９】第三実施例の操作断面図である。
【考案を実施するための形態】
【００１２】
以下に図面を参照しながら本考案を実施するための最良の形態について詳細に説明する。
【実施例】
【００１３】
図３〜６、図９に示すように、本考案は、伸縮プル棒2、弓形フレーム3、マッサージ装置4を備える。
伸縮プル棒2は、Ｔ型棒両端にそれぞれハンドル21を延伸して設置する。
これにより、操作者は両手で持つことができる。
伸縮プル棒2中央には、内管23一端と嵌めて接続するスリーブ22を設置する。
スリーブ22は、頂点端に、２組の跨ぎ槽221を横方向に陥没状に設置し、弓形フレーム3の２個の弾性棒32を跨がせて設置する。
スリーブ22の適当な位置には、一端にガイドスクリューブロック241を設置するガイドスクリュー管24を設置し、内管23中に嵌めて設置し、管内で往復移動が可能とする。
ガイドスクリューブロック241とマッサージ装置4のスクリューロッド43とを螺合して設置し、内管23の反対端は、弓形フレーム3の嵌口31中に設置する。
【００１４】
弓形フレーム3は、中央に、嵌口31を開設し、伸縮プル棒2の内管23前端及びマッサージ装置4の第一ベアリング412と接続し、両端には２個の弾性棒32を架設し、伸縮プル棒2が内側へと引かれる時の弾性圧力と緩む時の復位力を提供する。
【００１５】
マッサージ装置4は、スクリューロッド43一端とガイドスクリュー管24のガイドスクリューブロック241により螺合して接続し、スクリューロッド43を回転動させる。
反対端は、前縁に偏心軸411を突出状に設置する偏心軸ブロック41と結合して設置し、しかも外周には、第一ベアリング412を設置して、弓形フレーム3の嵌口31と設置し、その旋回の軸心を安定させる。
偏心軸411とマッサージブロック42中央に設置する第二ベアリング421とは、可動状態で接続する。
上記した構造により、腕を伸ばして押し、首、胸、腰、腹等筋肉部位及びリンパ部位を回転マッサージする実用効果を達成することができる。
【００１６】
図５〜９に示すように、本考案の第一実施例では、伸縮プル棒2の内管23前端を、弓形フレーム3の嵌口31上に設置する。
スリーブ22頂点端の２組の跨ぎ槽221には、それぞれ２個の弾性棒32を跨がせて設置する。
筒内のガイドスクリュー管24は、内管23中に嵌める。
しかも、管中のガイドスクリューブロック241とマッサージ装置4のスクリューロッド43一端とは、螺合して接続する。
【００１７】
次に、マッサージブロック41を、使用者の腹部にあて、手で両端のハンドル21を握り持ち、内向きの力を加えると、伸縮プル棒2は内側へと縮むように移動し、弾性棒32の弾性圧力を受け押し返される。
ガイドスクリューブロック241は、スクリューロッド43を正回転させ、続いて、前端の偏心軸ブロック41を回転させ、偏心軸411を回転させる。  
こうして、第一ベアリング421を連動し、マッサージブロック42に対して偏心レール転動を行わせ、マッサージブロック42は所定部位に対して回転圧迫マッサージを行う。
【００１８】
底まで達すると、伸縮プル棒2は、弾性棒32の復位力を受け、外へと伸びる移動を行い、ガイドスクリューブロック241は、スクリューロッド43を逆回転させる。
続いて、前端の偏心軸ブロック41を逆に回転させ、偏心軸411を逆に回転させる。
こうして、第三ベアリング421を連動し、マッサージブロック42に対して逆偏心レール転動を行わせ、マッサージブロック42は所定部位に対して逆方向の回転圧迫マッサージを行い、無抵抗伝送を提供し、倍力偏心転動を行い、正逆方向回転マッサージの効果を達成する。
【００１９】
図１１、１２に示すように、本考案第二実施例では、伸縮プル棒2のハンドル21を延伸し、スリーブ22一端に設置し、これにより操作者は片手で持つことができる。
しかも、内管23外周には、バネ25を嵌めて設置し、その上、下両端は、スリーブ22頂点端及び嵌口31周縁をそれぞれ押さえる。
その外周には、保護筒33をスリーブ22頂点端まで嵌めて設置し、弓形フレーム3両端に架設する弾性棒32と相同の作用を発揮することができる。
こうして、伸縮プル棒2が内向きに引かれる時の弾性圧力と緩む時の復位力を提供し、上記した実施例と相同の効果を達成することができる。
【００２０】
図１３〜１６、図１８、１９に示すように、本考案第三実施例は、第一実施例からの派生である。
図示の第三実施例では、伸縮プル棒2の中空スリーブ22一端をＴ型棒に形成する。
両端には、それぞれハンドル211を延伸して設置し、これにより操作者は両手で持ち、伸縮筒26外周に嵌めることができる。
伸縮筒26は、内管23外周に嵌めて設置する。
両側には、内向きに槽溝262をそれぞれ陥没状に設置し、底部には、外向きに、ロックブロック261を突出状に設置し、これによりスリーブ22底縁を押さえ、伸縮を連動する。
【００２１】
ガイドスクリュー管24一端は、筒内頂点部に設置し、内管23底段の適当な位置には、固定結合板231を設置し、頂点端の相対する両側には、定滑車ユニット232をそれぞれ可動状に設置し、両端は固定結合板231上にそれぞれ固定して設置し、伸縮筒26底部の対応する内側には、弾性棒233を跨がせて設置し、槽溝262内において往復移動を行う。
こうして、弓形フレーム3両端に架設する弾性棒32と相同の作用を発揮することができ、伸縮プル棒2が内側へ圧迫する時の弾性圧力と緩む時の復位力を提供することができる。
しかも、スリーブ22に設置するＴ型棒により、必要に応じて、伸縮筒26外周を反対方向に覆うことができ、これによりスリーブ22頂点縁を押さえ、伸縮を連動することができる。
こうして、手持ち距離を短縮し、上記した実施例と相同の効果を達成することができる。
【００２２】
上記したように、本考案は確実に、伸ばして押し、さらに転換して首、胸、腰、腹等筋肉部位及びリンパ部位に対して圧迫マッサージの運用、正逆回転マッサージを提供することができる。
【００２３】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２４】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２５】
２      伸縮プル棒
２１    ハンドル
２２    スリーブ
２２１  跨ぎ槽
２３    内管
２３１  固定結合板
２３２  定滑車ユニット
２３３  弾性棒
２４    ガイドスクリュー管
２４１  ガイドスクリューブロック
２５    バネ
２６    伸縮筒
２６１  ロックブロック
２６２  槽溝
３      弓形フレーム
３１    嵌口
３２    弾性棒
３３    保護筒
４      マッサージ装置
４１    偏心軸ブロック
４１１  偏心軸
４１２  第一ベアリング
４２    マッサージブロック
４２１  第二ベアリング
４３    スクリューロッド
５      伸縮部
５１    伸縮棒
５１１  螺旋槽
５２    スリーブ
５２１  キーブロック
６      腹部クッション
６１    外クッション
６１１  クッション面
６１２  クッションブロック
６１３  凸棒
６２    内クッション
６２１  凸粒
７      カバー殼体
７１    蓋板
７２    駆動モーター
７２１  心軸
８      マッサージ作動部
８１    回転動パーツ
８１１  固定設置部
８１２  凸軸
８１３  ウェイト部
８２    マッサージパーツ
８２１  マッサージ面
８２２  可動接続部
【図１】
0003164910.tif 000003
【図２】
0003164910.tif 000004
【図３】
0003164910.tif 000005
【図４】
0003164910.tif 000006
【図５】
0003164910.tif 000007
【図６】
0003164910.tif 000008
【図７】
0003164910.tif 000009
【図８】
0003164910.tif 000010
【図９】
0003164910.tif 000011
【図１０】
0003164910.tif 000012
【図１１】
0003164910.tif 000013
【図１２】
0003164910.tif 000014
【図１３】
0003164910.tif 000015
【図１４】
0003164910.tif 000016
【図１５】
0003164910.tif 000017
【図１６】
0003164910.tif 000018
【図１７】
0003164910.tif 000019
【図１８】
0003164910.tif 000020
【図１９】
0003164910.tif 000021